(57)【特許請求の範囲】
【請求項１】
遊技島に固定して遊技機間に配置されたホルダと、該ホルダに対し、前方より差し込んで着脱自在に保持される遊技媒体貸出用のユニットとから構成され、前記ホルダにユニットが装着されたとき、前記ホルダの前面側に備えられた係止爪に、前記ユニットの背面側に備えられた係止孔が係止されてロックされるロック機構を備えた台間機であって、
前記ホルダ側には、手動操作により前記係止爪をロック解除方向に変位させて、該係止爪を係止孔から離脱させる手動ロック解除手段を備え、
前記ユニット側には、遠隔操作により操作される遠隔操作部材が前記係止爪をロック解除方向に変位させて、該係止爪を係止孔から離脱させる遠隔ロック解除手段と、前記手動ロック解除手段または遠隔ロック解除手段の何れか一方がロック解除された場合に共通して検知する共通検知手段とを該ユニット内部に備えて構成し、
前記係止爪が手動操作力を受けてロック解除方向に変位する該係止爪の動きと、前記遠隔操作部材が遠隔操作力を受けてロック解除方向に変位する該遠隔操作部材の動きとの何れか一方に、他方が追従して互いにロック解除するように連係させて接続した連動型ロック解除手段を構成し、
前記連動型ロック解除手段は、前記係止爪側に、該係止爪をロック方向に付勢する付勢手段と、
該係止爪をロック方向及びロック解除方向に摺動ガイドする摺動ガイド手段と、
該係止爪に備えられ、前記付勢手段の付勢力に抗して該係止爪を手動操作によりロック解除方向に変位させるロック解除レバーと、
該係止爪より前記遠隔操作部材に向けて延設される連係部とが備えられ、
前記遠隔操作部材側に、該遠隔操作部材をロック方向またはロック解除方向に回動自由に軸支する軸支部と、
前記軸支部を回動支点に、該遠隔操作部材を回動させる駆動装置と、
該遠隔操作部材より前記係止爪に向けて延設される連係部とが備えられ、
前記係止爪の連係部と遠隔操作部材の連係部とを対向させ、これら連係部のうち一方を凹型連係部に設け、他方を凹型連係部内に係合させる凸型連係部に設け、
前記凹型連係部と凸型連係部の何れか一方が、ロック解除方向に変位したとき、その一方の動きに他方が追従して双方が互いにロック解除動作し、
前記凹型連係部と凸型連係部の何れか一方が、ロック方向に変位したとき、その一方の動きに他方が追従して双方が互いにロック動作する構成とした
台間機のロック解除装置。
【請求項２】
前記ホルダにユニットが装着されるユニット装着方向の操作力を受けたとき、前記係止爪の連係部と、遠隔操作部材の連係部との一方の連係部が、他方の連係部に導かれるように係合ガイドする復帰位置修正用の導入ガイド部を、前記係止爪または前記遠隔操作部材の少なくとも一方に備えた
請求項１に記載の台間機のロック解除装置。
【発明の詳細な説明】
【技術分野】
【０００１】
この発明は、遊技機間に配置されて遊技媒体を貸し出す台間機に関し、さらに詳しくは遊技島に配置されたホルダと、該ホルダに対し、前方より差し込んでロックまたはロック解除して着脱自在に保持される遊技媒体貸出用のユニットから構成される台間機のロック解除装置に関する。
【背景技術】
【０００２】
一般に、遊技ホール等の遊技場においては、遊技者の便宜を図るために、パチンコ機やスロットマシン等の各遊技機の側方に隣接し、カードまたは現金の投入により、パチンコ球やメダル等の遊技媒体を貸し出す台間機が設置されている。
【０００３】
この台間機は、通常、紙幣識別機やカード処理装置等を有する台間機本体(以下ユニットと称す)と、その支持部材としてのフレーム枠体(以下ホルダと称す)とに分離して構成され、ホルダを遊技島に固定し、このホルダの前方よりユニットを挿脱する着脱構造が備えられている。そして、これらユニットの背面側とホルダの前面側との対向面間に、ホルダとユニットとの間で係脱するロック機構とロック解除機構が装備されている。ロック解除機構としては、ホール係員が遊技台を開けて、ユニット背面側よりロック解除レバーを手動により開操作することで、ロック解除されていた。
【０００４】
ところが、このロック解除操作に伴い、ロック解除レバーを操作するためにはホール係員がユニットに隣接する遊技台を開けることが必要になり、その都度、遊技客は席を立つ必要があり、遊技客に煩雑な思いをさせていた。このようなことを解消するために、手動操作によるロック解除だけでなく、遠隔操作によるロック解除を可能にすることが必要になっていた。
【０００５】
ユニットのロック解除手段を複数有する公知技術として、ホルダ側に手動解除と遠隔解除の双方に対応するアクチュエータを具備させてなるホルダ完結型のロック解除手段が知られている(例えば特許文献１参照)。この場合は、ホルダ側に、手動解除用と遠隔解除用のアクチュエータとセンサとを要して複雑になり、また大きなスペースを要する構造になっていた。このため、ユニット側に拡張機能を持たせようとした場合に、ホルダ側で制御基板が必須となる構造上の制約、及びこれに伴うホルダ側でのスペース上の制約を受けてしまう。
【０００６】
また、ユニット側に、手動解除装置だけでなく、鍵装置を備えたユニット完結型のロック解除手段が知られている(例えば特許文献２参照)。ところが、鍵装置は該ユニットの前面側からロック解除操作するように構成されているため、ユニット前面に鍵操作部が露出されて、ゴト行為を誘起する問題を有していた。このようにユニットの前面からロック解除する構成では、セキュリティを高めるために鍵装置が必要になり、コスト高となっていた。
【０００７】
さらに、ホルダ側に手動解除手段を具備し、ユニット側に遠隔解除手段を具備したホルダ・ユニット型が知られている(例えば特許文献３参照)。このホルダ・ユニット型では、ホルダ側に手動解除機構を設け、ユニット側に遠隔解除機構を設ける分配した構成にすれば、これらの機構に伴って備えられるアクチュエータや制御基板を、ユニット側に集約することも、ホルダ側に分配することも自由に設定することが可能になり、ユニット側に拡張機能を持たせることが可能になる。
【０００８】
しかし、このようなホルダ・ユニット型でロックまたはロック解除動作されたことを検知する検知手段は、ユニット側のみに具備しており、ホルダ側には具備していない。つまり、遠隔解除である場合にのみ検知し、遠隔解除であることを出力してホール係員に注意喚起している。これにより、遠隔操作された信号が確実に伝達されたか否かをホール係員に確認できるようにしている。これに対し、手動解除ではホール係員が直接操作することになり、意図的であることから表示させていない。
【０００９】
このため、手動解除操作または遠隔解除操作の何れかによりユニットのロックが解除されると、ユニットはホルダに着脱可能になるが、手動解除操作が行われた場合は、外観からはユニットが着脱可能か、否かを判断できなかった。このような場合、ホール係員が手動によりユニットをロック解除した後、ユニットの着脱作業を完結せずに、その場から離席した場合には、該ユニットの着脱作業が未完了状態に放置されて、第三者によるユニットの盗難や脱落事故を起こす可能性があった。
【００１０】
また、手動解除と遠隔解除との双方に、ロック解除用の検知手段を設けて対処することが考えられるが、この場合は遊技機間の狭い収納空間に２個の検知手段を要して構造が複雑になり、またユニット側に拡張機能を持たせようとした場合、
これに関連してホルダ側のロック解除を検知するための検知手段や制御基板が必要になり、ホルダ側でのスペースの増大及び構造上の制約を受けることになる。
【特許文献１】特開２０００−８４２３０号
【特許文献２】特開平８−３３７６９号
【特許文献３】特許３５１５６１２号
【発明の開示】
【発明が解決しようとする課題】
【００１１】
特に、遠隔解除ができるようにしたホルダ・ユニット型を採用した場合、下記２点の課題がある。  
（１）手動操作または遠隔操作によりロック解除した場合、そのロック解除状態を検知すべくホルダ側とユニット側の双方に検知手段を要する。このため、限られた狭い空間に、２つの検知手段の配置スペースが必要となる問題が生じる。
(２)遊技場では膨大な数量の遊技媒体が利用され、また喫煙等によりユニットの周辺は汚れやすい傾向にある。このため、ロック解除機構においても、汚れが付着してロック解除機構の動きに障害が生じるおそれがあった。例えば、汚れが付着したことに起因してロック解除部材の一部が元の位置に戻らない原点復帰不良(以下、復帰不良と称す)を起こす可能性があり、その復帰不良のままユニットがホルダに装着されると、互いのロック対応部分が位置ズレして噛み合わなくなり、復帰不良となる。よって、復帰不良を防止するために、ロック対応部分が位置ズレしないように復帰付勢力を上げることが考えられるが、復帰付勢力を高めると、その分、遠隔解除用のアクチュエータの出力も大きくする必要があり、ロック解除装置の大型化やスペースが大きくなるという問題がある。
【００１２】
そこでこの発明は、ホルダ・ユニット型を採用した場合であっても、手動操作と遠隔操作との両方のロック解除を、２つの検知手段を用いることなく検知することができるロック解除機構を提供することを目的とする。
【課題を解決するための手段】
【００１３】
この発明は、遊技島に固定して遊技機間に配置されたホルダと、該ホルダに対し、前方より差し込んで着脱自在に保持される遊技媒体貸出用のユニットとから構成され、前記ホルダにユニットが装着されたとき、前記ホルダの前面側に備えられた係止爪に、前記ユニットの背面側に備えられた係止孔が係止されてロックされるロック機構を備えた台間機であって、前記ホルダ側には、手動操作により前記係止爪をロック解除方向に変位させて、該係止爪を係止孔から離脱させる手動ロック解除手段を備え、前記ユニット側には、遠隔操作により操作される遠隔操作部材が前記係止爪をロック解除方向に変位させて、該係止爪を係止孔から離脱させる遠隔ロック解除手段と、前記手動ロック解除手段または遠隔ロック解除手段の何れか一方がロック解除された場合に共通して検知する共通検知手段とを該ユニット内部に備えて構成し、前記係止爪が手動操作力を受けてロック解除方向に変位する該係止爪の動きと、前記遠隔操作部材が遠隔操作力を受けてロック解除方向に変位する該遠隔操作部材の動きとの何れか一方に、他方が追従して互いにロック解除するように連係させて接続した連動型ロック解除手段を構成し、前記連動型ロック解除手段は、前記係止爪側に、該係止爪をロック方向に付勢する付勢手段と、該係止爪をロック方向及びロック解除方向に摺動ガイドする摺動ガイド手段と、該係止爪に備えられ、前記付勢手段の付勢力に抗して該係止爪を手動操作によりロック解除方向に変位させるロック解除レバーと、該係止爪より前記遠隔操作部材に向けて延設される連係部とが備えられ、前記遠隔操作部材側に、該遠隔操作部材をロック方向またはロック解除方向に回動自由に軸支する軸支部と、前記軸支部を回動支点に、該遠隔操作部材を回動させる駆動装置と、該遠隔操作部材より前記係止爪に向けて延設される連係部とが備えられ、前記係止爪の連係部と遠隔操作部材の連係部とを対向させ、これら連係部のうち一方を凹型連係部に設け、他方を凹型連係部内に係合させる凸型連係部に設け、前記凹型連係部と凸型連係部の何れか一方が、ロック解除方向に変位したとき、その一方の動きに他方が追従して双方が互いにロック解除動作し、前記凹型連係部と凸型連係部の何れか一方が、ロック方向に変位したとき、その一方の動きに他方が追従して双方が互いにロック動作する構成とした台間機のロック解除装置であることを特徴とする。
【００１４】
この発明によると、１つの共通検知手段が手動操作によりロック解除された場合にも、遠隔操作によりロック解除された場合にも共通して検知することができる。ことに、共通検知手段をユニット側に備えることで、該共通検知手段及び制御基板等をユニット側に集約した効率の良い配置が可能になる。
【００１５】
また、手動ロック解除手段または遠隔操作ロック解除手段の一方がロック解除動作するとき、この動きに他方が連動してロック解除動作する連動型のロック解除手段を構成することができる。
【００１６】
前記連係部は、両側より対向する一方が他方に連係して接続する連係構造であればよく、上述のように対向する一方を凹部に、他方を凸部に設け、これらを凹凸対応させれば、連係させることができる。
【００１７】
この発明の態様として、前記ホルダにユニットが装着されるユニット装着方向の操作力を受けたとき、前記係止爪の連係部と、遠隔操作部材の連係部との一方の連係部が、他方の連係部に導かれるように係合ガイドする復帰位置修正用の導入ガイド部を、前記係止爪または前記遠隔操作部材の少なくとも一方に備えて構成することができる。
【００１８】
前記復帰位置修正用の導入ガイド部は、ホルダ側とユニット側のうち、一方、あるいは双方に形成してもよい。例えば、一方をＶ字形状に設け、これに対応する他方をＶ字形状に導かれ易いレバー状に設ければよい。
【００１９】
これにより、ユニットをホルダに差し込んで装着するときに、互いに対向する連係部が係合するように導入ガイドされる。このため、仮に、汚れ等の原因によりユニット側とホルダ側との間が僅かな位置ズレによって、ユニット装着時に復帰不良であっても、復帰位置修正用の導入ガイド部によって、互いの連係部が係合状態に連係されるので、正規の装着状態に自然に修正されながら接続されることになる。よって、ホルダとユニットとの対応部分において位置ズレによる噛み込みのおそれがなくなり、常にユニットの正常な原点復帰を可能にする。これにより、ユニットの装着不良が発生しなくなる。
【発明の効果】
【００２０】
この発明によれば、１つの共通検知手段で手動操作のロック解除と、遠隔操作のロック解除とを共通して検知することができる。よって、該共通検知手段を限られたスペースにコンパクトに組み込むことができる。さらに、共通検知手段をユニット側に備えることにより、制御基板等をユニット側に集約した効率の良い配置が可能になる。
【実施例】
【００２１】
この発明の一実施例を以下図面に基づいて説明する。
【００２２】
図１は台間機１１の設置状態を示した斜視図である。この台間機１１は遊技ホールに設置されるパチンコ機等の遊技機１２間に設置される。その外観は縦長の矩形箱状を有し、接客面となる前面には、上部より紙幣挿入口１３、取っ手１４、表示器１５、ＩＣコイン挿入口１６、カード挿入口１７、ＩＣコイン返却口１８がこの順に備えられている。そして、遊技客から紙幣、ＩＣコイン、プリペイドカード等が挿入されて受付けると、台間機１１はその受け付けた金額情報に応じて遊技媒体を貸し出す。従って、遊技開始時や遊技中に遊技客から遊技媒体の貸出要請があると、その都度、利用金額に応じた遊技媒体を貸し出すことができる。このようにして利用される台間機１１は遊技島への設置時、運用点検時などにおいて適宜前後方向より着脱できるように構成されている。
【００２３】
図２はホルダ２１とユニット２２との着脱状態を示す要部破断側面図、図３は台間機１１のロック状態を示す要部拡大斜視図、図４は台間機１１のロック解除状態を示す要部拡大斜視図である。
【００２４】
この台間機１１はホルダ２１と、その着脱対象となるユニット２２とに分けて構成される。このうち、ホルダ２１は遊技島に固定される枠体として備えられ、前後方向に延びて上下に平行して配設される上水平ガイドフレーム２３及び下水平ガイドフレーム２４と、その上下間を連結する垂直ガイドフレーム２５とからコ形状に構成されている。そして、図２(Ａ)に示すように、このホルダ２１の前面側に形成されているコ型空間２６に向けて、前方よりユニット２２が差し込まれる。また、垂直ガイドフレーム２５の背面側下部には電源装置２７と電源コード２８が備えられ、垂直ガイドフレーム２５の中間高さ位置には手動ロック・ロック解除装置２９が備えられている。
【００２５】
ユニット２２はホルダ２１に差し込んで取り付けることができ、また引き出して取り外すことができる着脱部材として備えられ、該ユニット２２の内部には遊技客が使用する紙幣、カード、ＩＣコイン等を受付けて処理する処理装置(図示省略)が内蔵されている。また、ユニット２２の背面側を覆っている垂直な背面壁２２ａの内部には、遠隔ロック・ロック解除装置３０が備えられている。該遠隔ロック・ロック解除装置３０は前記手動ロック・ロック解除装置２９と同高さ位置に配設され、ホルダ２１にユニット２２を装着したときは、その対向するホルダ２１側の手動ロック・ロック解除装置２９と、ユニット２２側の遠隔ロック・ロック解除装置３０とが連動可能に連係(後述)されるとともに、ホルダ２１側でユニット２２をロックするロック構造を有している。
【００２６】
前記手動ロック・ロック解除装置２９は、ホルダ２１の垂直ガイドフレーム２５に、昇降してロック・ロック解除する縦長の昇降スライド杆３２を沿設する。この昇降スライド杆３２は上下方向にスライド可能に支持され、該昇降スライド杆３２の上下部の２か所にロック機構としての上ロック装置３３と下ロック装置３４を有している。
【００２７】
上ロック装置３３は昇降スライド杆３２の上部に上ロックプレート３５を一体に固定することで構成されている。該上ロックプレート３５は、前後方向に水平に配設され、且つ頂部に取り付けられた付勢バネ３６により上向きに付勢されている。図５にも示すように、該上ロックプレート３５の前部側には係止爪３７と連係片３８を有し、中間部には摺動ガイド溝３９を有し、後部側にはロック解除レバー４０を有している。
【００２８】
まず、係止爪３７は上ロックプレート３５の前後方向の垂直壁に対し、その前後方向の中間部上面を凹部に切欠き形成し、この凹部内の垂直係止面３７ａと水平係止面３７ｂとが係止孔４１に対応する係止部分となる。そして、ホルダ２１にユニット２２を装着する場合に、図６(Ａ)に示すように、ユニット２２側の背面壁２２ａに縦長に開口されている長方形状の係止孔４１が、ホルダ２１側の係止爪３７に対向し、係止孔４１に係止爪３７が挿通されたとき、係止爪３７の上傾斜面が孔上面４１ａに接触する。ユニット２２の装着動作により係止爪３７の傾斜頂点３７ｄは下降し、最下端では図６(Ｂ)に示すように、孔上面４１ａと傾斜頂点３７ｄとが接触する。さらに、ユニット２２を押し込むことで該ユニット２２と一体の係止孔４１が図中Ｘ方向に移動し、これに伴い係止爪３７が係止孔４１を越え、図６(Ｃ)に示すように、係止爪３７が孔上面４１ａより上昇(図中Ｙ方向)することで、ロック動作が完了する。
【００２９】
このロック動作状態では付勢バネ３６により係止爪３７が上向きに付勢されているので、係止孔４１の孔上面４１ａに係止爪３７の水平係止面３７ｂが対応し、係止孔４１の孔前面４１ｂに該係止孔４１を貫通した係止爪３７の垂直係止面３７ａが対応して前後方向(図６では左右方向)の動きが係止される。この係止作用により、係止爪３７と係止孔４１を介してユニット２２は前後方向の動きが係止され、ユニット２２がホルダ２１に一体にロックされる。
【００３０】
連係片３８は係止爪３７の垂直に起立している下部より水平に突設させ、係止爪３７と連係片３８とでＬ形状に設けられている。そして、ホルダ２１にユニット２２が装着されたとき、該連係片３８が後述する遠隔ロック・ロック解除装置３０側のコ形連係溝５４に連係される。
【００３１】
さらに、上ロックプレート３５には該上ロックプレート３５の上下動をガイドする摺動ガイド溝３９が備えられている。この摺動ガイド溝３９は前後方向中間部の垂直壁に縦長の長孔を貫通して設ける。この摺動ガイド溝３９に垂直ガイドフレーム２５より突出させた固定ピン４２を挿通させて該上ロックプレート３５を上下方向に摺動ガイドしている。この摺動ガイド溝３９に上方に摺動ガイドされて上ロックプレート３５が上動すると、該摺動ガイド溝３９の下端が固定ピン４２に当接して上動規制される。この上動規制により係止爪３７が係止孔４１を係止したロック状態を維持するように設定している(図３参照)。これに対し、上ロックプレート３５が下動すると、摺動ガイド溝３９の下端が固定ピン４２と離れる。このとき、係止爪３７も下動して係止孔４１より外れ、ロック解除されるように該摺動ガイド溝３９の長さを設定している(図４参照)。そして、上ロックプレート３５は付勢バネ３６により上動される。この付勢バネ３６は、上端が垂直ガイドフレーム２５に連結され、下端が上ロックプレート３５に連結されている。このうち、上端が伸縮基準位置となって該付勢バネ３６の上向きの付勢作用により、上ロックプレート３５を常に上方に付勢している。このため、上ロックプレート３５と一体の係止爪３７を常に上方に付勢し、係止爪３７が係止孔４１と対応したとき、係止孔４１を係止維持するように構成している。
【００３２】
ロック解除レバー４０は指先で押下操作できる程度に上ロックプレート３５の後面側に突出させており、前記付勢バネ３６の上向きの付勢力に抗して該ロック解除レバー４０を下向きに押し下げることで、上ロックプレート３５が下動し、この下動に伴いロック解除できるようにしている。
【００３３】
下ロック装置３４は昇降スライド杆３２の下部に平板状の下ロックプレート４３を固定しており、この下ロックプレート４３の前面側に、先に述べた係止爪３７と同形状の係止爪４４を突設させている。また、この係止爪４４の下部には先に述べた連係片３８と同形状を有してロック解除を維持する役目をする上動規制片４５が形成されている。さらに、この係止爪４４と対向するユニット２２の背面壁２２ａにも、先に述べた係止孔４１と同形状の係止孔４６を貫通している。そして、昇降スライド杆３２に一体に連結されている上ロック装置３３と下ロック装置３４は同じ動きで同時に上下動するため同期してロック・ロック解除動作する。
【００３４】
また、係止爪４４と対応するユニットの背面壁２２ａの内面にはロック解除維持用のバネ金具４７が備えられている。このロック解除維持用のバネ金具４７は、板バネにより構成され、該バネ金具４７の下端を斜め下向きに傾斜させて突出した傾斜弾性片４８を有している。そして、図３に示すように、係止爪４４が上動して係止孔４６に係止したロック位置では、傾斜弾性片４８の上方に上動規制片４５が対応した状態にある。これに対し、図４に示すように、係止爪４４が係止孔４６より下動して係止が解かれたロック解除位置では、係止爪４４と一体の上動規制片４５が同時に下方に押し下げられる。このとき、上動規制片４５が、斜め下向きの状態にある傾斜弾性片４８を側方に弾性変位させて押し退けて下動させることができる。下動後は、傾斜弾性片４８が元の位置に戻り、上動規制片４５は傾斜弾性片４８の下側に位置している。そして、上動規制片４５が付勢バネ３６の上向きの付勢力により上動しようとするが、元の位置に弾性復帰している傾斜弾性片４８に当接して上動規制片４５は上動規制される。よって、下ロック装置３４側でロック解除状態を維持することができる。
【００３５】
遠隔ロック・ロック解除装置３０は遠隔操作レバー４９を、遠隔操作信号を受けて駆動されるソレノイド５０により回動させ、その回動したロック位置とロック解除位置とを共通検知センサＳで検知する構成を有している。
【００３６】
前記遠隔操作レバー４９は逆Ｌ形状に形成され、この逆Ｌ形状を構成する水平側のレバー片５１と若干傾斜した垂直側のレバー片５２と、これらの両レバー片５１，５２が交差する中間部に、該遠隔操作レバー４９の回動支点となる軸支孔５３が備えられている。
【００３７】
水平側のレバー片５１は前後方向に水平に、且つ前記連係片３８側に向けて延設されている。そして、その水平なレバー片５１の先端側をコ型状に開口したコ型連係溝５４が形成されている。このコ型連係溝５４に前記連係片３８が挿入可能に同高さ位置に対応している。
【００３８】
垂直側のレバー片５２は下部にソレノイド５０のプランジャ５５を連結するための枢支ピン５６を軸支している。この枢支ピン５６は垂直側のレバー片５２の下部に形成されているピンガイド孔５７とピン支持部５８により軸支され、この枢支ピン５６に前方よりプランジャ５５が連結されている。さらに、該垂直側のレバー片５２の下端には検知片５９が垂設され、後述する共通検知センサＳにより検知される。
【００３９】
遠隔操作レバー４９の回動支点となる軸支孔５３には、ユニットの背面壁２２ａに固定して突出させた支軸６０を挿通させ、該支軸６０を回動支点に、遠隔操作レバー４９をロック方向(上方向)またはロック解除方向(下方向)に回動自由に支持している。
【００４０】
前記ソレノイド５０は遠隔ロック・ロック解除装置３０の駆動源であり、ユニットの背面壁２２ａの内側に固定設置される。そして、外部の図示しない遠隔操作用のリモコンや上位の通信装置からロック解除用の遠隔操作信号を受けた場合に駆動される。通常、遠隔操作されてないソレノイド５０がＯＦＦの状態では、プランジャ５５の外周側に伸縮自在に取り付けられたプランジャ復帰用のコイルスプリング６１の伸長とする付勢作用により、プランジャ５５がソレノイド５０側より吸引可能に前方に突出した状態にある(図３参照)。これに対し、ソレノイド５０がＯＮの状態では、プランジャ５５がコイルスプリング６１の付勢力に抗して吸引されると、遠隔操作レバー４９は支軸６０を回動支点にロック解除方向に回動される(図４参照)。その回動された状態を共通検知センサＳで検知する。
【００４１】
前記共通検知センサＳは遠隔操作レバー４９と一体に回動する検知片５９を検知することで、ロック解除動作したことを確認するものである。よって、ソレノイド５０を駆動して遠隔操作レバー４９がロック解除位置に達したとき、検知片５９が光電検知用のスリット部分を遮光するように設定している。
【００４２】
ところで、前記手動ロック・ロック解除装置２９と遠隔ロック・ロック解除装置３０との何れか一方がロックまたはロック解除動作するとき、この動きに他方が追従して同じくロックまたはロック解除動作する連動型ロック・ロック解除装置３１を構成している。
【００４３】
図７(Ａ)はロック状態での連係片３８とコ型連係溝５４との関係を示す説明図、図７(Ｂ)は初期ロック解除状態での連係片３８とコ型連係溝５４との関係を示す説明図、図７(Ｃ)はロック解除状態での連係片３８とコ型連係溝５４との関係を示す説明図である。
【００４４】
ホルダ２１側に備えられる手動ロック・ロック解除装置２９を連係させる構成としては、上ロックプレート３５に形成されている連係片３８が対応する。この連係片３８は上ロックプレート３５に一体に形成されているため、上方のロック位置と下方のロック解除位置との上下間を、摺動ガイド溝３９にガイドされて上下動する。この上下方向の動きを連係片３８及び後述するコ型連係溝５４を介して遠隔操作レバー４９側の回動する動きに連係させるものである。
【００４５】
ユニット２２側に備えられる遠隔ロック・ロック解除装置３０を連係させる構成としては、遠隔操作レバー４９に形成されているコ型連係溝５４が対応する。このコ型連係溝５４は溝上面５４ａと溝下面５４ｂとの溝間に、前記した連係片３８を水平に挿入させてここで係合させる係合空間を形成したものである。該コ型連係溝５４に係合対応する連係片３８が上動しているロック位置にあるときは、上動した連係片３８が溝上面５４ａに当接し、該コ型連係溝５４は水平姿勢に保たれる。よって、コ型連係溝５４と連係片３８とは互いにロック位置となり、図７(Ａ)に示すように、双方のロック・ロック解除装置２９，３０がロック状態となっている。
【００４６】
そして、図７(Ｂ)に示すように、手動操作によりロック解除レバー４０が押し下げられると、これに伴い連係片３８がロック解除方向に下動される。この場合、連係片３８の下動操作力を受けてコ型連係溝５４の溝下面５４ｂが下向きに押下され、遠隔操作側の遠隔操作レバー４９が追従して下向きに回動しようとする。その後、さらに連係片３８が下動し、ロック解除位置まで押し下げられた時点でロック解除される。この連係片３８の動きに連動して遠隔操作レバー４９も下向きに回動され、ロック解除位置に達することになる。
【００４７】
一方、図７(Ｃ)に示すように、遠隔操作信号を受けてソレノイド５０が駆動されると、遠隔操作レバー４９が下向きに回動する。このとき、コ型連係溝５４の溝上面５４ａが連係片３８を押し下げて、連係片３８を下動させる。
【００４８】
このように、手動ロック・ロック解除装置２９がロック解除操作された場合は、これに連動して遠隔ロック・ロック解除装置３０側もロック解除動作される。同じく、遠隔ロック・ロック解除装置３０がロック解除操作された場合は、これに連動して手動ロック・ロック解除装置２９側もロック解除動作される。このように、双方のロック・ロック解除装置２９，３０の一方がロック解除されることに伴い、他方のロック解除動作が追従し、双方のロック・ロック解除装置２９，３０が互いにロック解除動作するように連係されている。
【００４９】
さらに、コ型連係溝５４に対しては、図５に示すように、先端開口側に、連係片３８の受入れを容易にするための導入ガイド面５４ｃを有している。この導入ガイド面５４ｃはコ型連係溝５４の溝上面５４ａから外向きに次第に広く傾斜させて開口している。これにより、コ型連係溝５４の開口端は広角の受入れガイド面となり、連係片３８との位置ズレを解消した連係を可能にしている。このため、遠隔操作レバー４９が復帰不良を起して傾いているような場合であっても(図１２参照)、コ型連係溝５４に連係片３８が導入されるように導入ガイド面５４ｃによって受入れガイドされる。これにより、遠隔操作レバー４９はユニット装着時の押し込み方向の装着力に連動して傾きが修正されながら連係片３８とコ型連係溝５４とが係合する。この結果、遠隔操作レバー４９の傾きをユニットの装着操作に連動させて修正する連動型の復帰位置修正機能が得られる。なお、実施例ではコ型連係溝５４側に導入ガイド面５４ｃを備えたが、連係片３８側に導入ガイド面を設けてもよい。この場合は、連係片３８側の復帰不良を解消できる。また、両方に設けてもよい。
【００５０】
図８は台間機のロック解除装置の制御回路ブロック図である。制御部８１はＲＯＭに格納されたプログラムに沿って、共通検知センサＳ、受信部８２、ソレノイド５０、表示器１５等の各回路装置を制御し、その制御データをＲＡＭで読み出し可能に記憶する。受信部８２では係員リモコン等から送信されてきたロック解除信号を受信し、これに基づいて制御部８１はソレノイド５０を駆動し、ユニット２２に触れることなく、ロック解除動作させることができる。また、そのロック解除された動きを共通検知センサＳで確認することができる。
【００５１】
この共通検知センサＳでは手動操作によりロック解除された場合も、連係片３８の動きにコ型連係溝５４が連動して遠隔操作レバー４９が回動したことを共通検知センサＳで検知することができる。よって、共通検知センサＳが１つであってもロック解除されたことを共通して検知できる。さらに、表示器１５では制御部８１が実行している現在の制御状態を表示させることができる。また、ユニット２２がロック状態であるか、ロック解除された状態であるか等を表示することができる。ことに、ロック解除された状態ではユニット２２に対する着脱作業を確実に完結させることが望まれるため、制御部８１は表示器１５に注意喚起表示を実行させる。
【００５２】
次に、手動操作によるロック解除時の処理動作を図９のフローチャートを参照して説明する。  
ホール係員が台間機１１に隣接する遊技台を開けて、ホルダ２１の背面側よりロック解除レバー４０を手動により押し下げる(ステップｎ１)。
【００５３】
すると、図７(Ａ)に示すように、ロック解除レバー４０と一体の連係片３８が上動したロック位置から、図７(Ｂ)に示すように、連係片３８がコ型連係溝５４内を下動して溝下面５４ｂに当接する(ステップｎ２)。その後、連係片３８がさらに押し下げられることで、コ型連係溝５４を介して遠隔操作レバー４９は下向きに回動し(ステップｎ３)、このとき遠隔操作レバー４９がロック解除位置まで回動すると、遠隔操作レバー４９と一体の検知片５９が検知位置まで回動し(ステップｎ４)、その検知片５９が回動したことを共通検知センサＳが検知することで、制御部８１はロック解除されたことを検知する(ステップｎ５)。このロック解除されたことを検知すると、制御部８１は表示器１５にユニット２２がロック解除されたことを表示案内する(ステップｎ６)。なお、ロック解除されたときは、下ロック装置３４に備えられた傾斜弾性片４８が上動規制片４５の上動復帰を規制してロック解除状態を維持する(図４参照)。そして、ユニット２２がホール係員により引き出されるまで、そのロック解除状態を維持する(ステップｎ７)。
【００５４】
次に、遠隔操作によるロック解除時の処理動作を図１０のフローチャートを参照して説明する。  
係員リモコンにより該当するユニット２２に向けてロック解除信号を送信すると、受信部８２を介して対応するソレノイド５０が駆動される(ステップｎ１１)。
【００５５】
すると、プランジャ５５が吸引動作し、この吸引動作力を受けた遠隔操作レバー４９はロック解除方向に回動し(ステップｎ１２)、図７(Ａ)に示すように、コ型連係溝５４が水平姿勢にあるロック状態から、コ型連係溝５４の溝上面５４ａが連係片３８を回動させながら押し下げる。これにより、連係片３８は図７(Ｃ)に示すように、垂直に下動する(ステップｎ１３)。そして、遠隔操作レバー４９がロック解除位置まで回動すると、遠隔操作レバー４９と一体の検知片５９も検知位置まで回動し(ステップｎ１４)、この検知片５９が回動したことを共通検知センサＳが検知することでロック解除されたことを検知する(ステップｎ１５)。ロック解除されたことを検知すると、制御部８１は表示器１５にユニット２２がロック解除状態であることを文言、あるいは色別に明瞭に注意喚起して表示案内する(ステップｎ１６)。なお、ロック解除されたときは、下ロック装置３４に備えられた傾斜弾性片４８が上動規制片４５の上動復帰を規制してロック解除状態を維持する(図４参照)。そして、ユニット２２がホール係員により引き出し操作されるまで、そのロック解除状態を維持する(ステップｎ１７)。なお、共通検知センサＳが検知片５９を検知しなければ、制御部８１はロック解除不良と判定し、表示器１５にエラー表示する(ステップｎ１８)。
【００５６】
図１１はユニット装着時における適正なロック動作状態を示す説明図である。  
ホルダ２１にユニット２２が装着されるとき、図２及び図１１(Ａ)に示すように、ユニット２２はガイドレールの役目をする上水平ガイドフレーム２３及び下水平ガイドフレーム２４にスライドガイドされて前方から押し込まれて装着される。このとき、ホルダ２１側の連係片３８とユニット２２側のコ型連係溝５４が略同高さに対向し、そのままユニット２２が水平にスライドして押し込まれることで、係止爪３７，４４に係止孔４１，４６がそれぞれ係止されてロックされるとともに、図１１(Ｂ)に示すように、連係片３８とコ型連係溝５４が互いに係合して連係した状態に接続される。
【００５７】
図１２は位置ズレを起している遠隔操作レバー４９を示す側面図。図１３はユニット装着時における位置ズレを起している遠隔操作レバー４９のロック動作状態を示す説明図である。  
図１２に示すように、遠隔操作レバー４９が下向きに回動後、上向きに復帰しない復帰不良姿勢のままユニット２２がホルダ２１に装着されるとき、図１３(Ａ)に示すように、連係片３８の先端が導入ガイド面５４ｃの開口端部と対応しているため、遠隔操作レバー４９が傾いていても連係片３８と導入ガイド面５４ｃとを互いに係合させることができる。従って、ユニット２２がさらに押し込まれると、図１３(Ｂ)に示すように、連係片３８に導入ガイド面５４ｃが導入ガイドされ、連係片３８はコ型連係溝５４内に導かれる。その後、遠隔操作レバー４９の傾きは、図１３(Ｃ)に示すように、次第に修正され、図１３(Ｄ)に示すように、ユニット２２が正規の装着すべき位置まで押し込まれた装着完了時では連係片３８に、遠隔操作レバー４９が正規の回動復帰した状態に対応して係合されることになる。
【００５８】
このため、仮に、汚れ等の原因により遠隔操作レバー４９が元のロック可能な位置に復帰していない復帰不良状態であっても、ユニット２２の装着時に導入ガイド面５４ｃによって、遠隔操作レバー４９を正規の姿勢に修正しながら係合することができる。このため、遠隔ロック・ロック解除装置３０は自己復旧機能を有して、ユニット２２の装着不良を解消することができる。よって、ホルダ２１とユニット２２とのロック部分において位置ズレによる噛み込み等のおそれがなくなり、信頼性の高い装着性能が得られる。ことに、ユニット２２を装着操作することに連動して遠隔操作レバー４９を適正な姿勢に戻すことができるので噛み込み等の不具合になるおそれがなくなる。このため、付勢バネ３６やコイルスプリング６１の付勢力を小さく設定できる。これにより、遠隔ロック解除用のソレノイド５０も小出力のものを使用することが可能になり、省スペース化及びソレノイド５０の小型化に伴う消費電力の抑制が可能になる。
【００５９】
上述のように、１つの共通検知センサで手動ロック解除操作と遠隔ロック解除操作とを検出可能とした構成により、ユニットを収納する限られたスペースを有効に利用できる。また、共通検知センサをユニット側に設けることで、制御部等を搭載した制御基板をユニット側に集約させることが可能になる。さらに、手動操作と遠隔操作との何れか一方のロック解除が行われたことを表示器に明瞭に表示させて、ホール係員に的確に注意喚起を実行することができる。
【００６０】
この発明の構成と、上述の一実施例の構成との対応において、
この発明の手動ロック解除手動は、実施例の手動ロック・ロック解除装置２９に対応し、
以下同様に、
遠隔ロック解除手動は、遠隔ロック・ロック解除装置３０に対応し、
遠隔操作部材は、遠隔操作レバー４９に対応し、
共通検知手段は、共通検知センサＳに対応し、
出力手段は、表示器１５に対応し、
連動型ロック解除手動は、連動型ロック・ロック解除装置３１に対応し、
付勢手段は、付勢バネ３６に対応し、
摺動ガイド手段は、摺動ガイド溝３９と固定ピン４２に対応し、
連係部は、連係片３８とコ型連係溝５４に対応し、
軸支部は、軸支孔５３と支軸６０に対応し、
駆動装置は、ソレノイド５０に対応し、
凹型連係部は、コ型連係溝５４に対応し、
凸型連係部は、連係片３８に対応し、
導入ガイド部は、導入ガイド面５４ｃに対応し、
遊技機は、パチンコ機に対応するも、この発明は請求項に示される技術思想に基づいて応用することができ、上述の一実施例の構成のみに限定されるものではない。例えば、実施例ではロック解除状態を表示器１５に表示して注意喚起するようにしているが、別の実施例として図示しない管理サーバにロック解除信号を送信するようにしてもよい。
【図面の簡単な説明】
【００６１】
【図１】台間機の設置状態を示す斜視図。
【図２】(Ａ)はユニット装着前のホルダとの対応状態を示す側面図、(Ｂ)はユニット装着後のホルダとの対応状態を示す側面図。
【図３】ユニット装着時のロック状態を示す要部拡大斜視図。
【図４】ユニット装着時のロック解除状態を示す要部拡大斜視図。
【図５】上ロックプレートと遠隔操作レバーとの対応状態を示す斜視図。
【図６】係止爪と係止孔との係止動作状態を明瞭に示す説明図。
【図７】連係片とコ型連係溝との連係動作状態を示す説明図。
【図８】台間機のロック解除装置の制御回路ブロック図。
【図９】手動ロック解除時の処理動作を示すフローチャート。
【図１０】遠隔ロック解除時の処理動作を示すフローチャート。
【図１１】位置ズレを起していない遠隔操作レバーの連係状態を示す動作説明図。
【図１２】ユニット装着時に位置ズレを起している遠隔操作レバーを示す側面図。
【図１３】位置ズレを起している遠隔操作レバーの連係状態を示す動作説明図。
【符号の説明】
【００６２】
１１…台間機
１５…表示器
２１…ホルダ
２２…ユニット
２９…手動ロック・ロック解除装置
３０…遠隔ロック・ロック解除装置
３１…連動型ロック・ロック解除装置
３７，４４…係止爪
３８…連係片
４１，４６…係止孔
４９…遠隔操作レバー
５４…コ型連係溝
５４ｃ…導入ガイド面
Ｓ…共通検知センサ
【図１】
0005251170.tif 000002
【図２】
0005251170.tif 000003
【図３】
0005251170.tif 000004
【図４】
0005251170.tif 000005
【図５】
0005251170.tif 000006
【図６】
0005251170.tif 000007
【図７】
0005251170.tif 000008
【図８】
0005251170.tif 000009
【図９】
0005251170.tif 000010
【図１０】
0005251170.tif 000011
【図１１】
0005251170.tif 000012
【図１２】
0005251170.tif 000013
【図１３】
0005251170.tif 000014